(57)【要約】【課題】  部品点数が少なく、構造が簡単でコスト的に有利な内視鏡用光源装置における磁石の取付構造を提供する。【解決手段】  内視鏡内に配設された導光ファイバを介して、該内視鏡の挿入部先端に光を供給する放電ランプと、該放電ランプに接触して、該放電ランプの熱を外部に排熱するヒートシンクと、該放電ランプの陰極と陽極の間におけるアークにローレンツ力を及ぼして、該アークの軌跡を安定させる磁石と、を具備する内視鏡用光源装置において、上記磁石に、上記ヒートシンクの扁平な取付面に接触する扁平面と、この扁平面に一端部が開口する、固定ねじ用の複数の貫通孔とを形成し、この磁石の上記扁平面を上記ヒートシンクの上記取付面に接触させた状態で、上記貫通孔に複数の固定ねじを挿通して、該磁石を該ヒートシンクに直接固定したことを特徴とする内視鏡用光源装置における磁石の取付構造。【選択図】  図５
2005245582.tif 000002
【特許請求の範囲】
【請求項１】
内視鏡内に配設された導光ファイバを介して、該内視鏡の挿入部先端に光を供給する放電ランプと、
該放電ランプに接触して、該放電ランプの熱を外部に排熱するヒートシンクと、
該放電ランプの陰極と陽極の間におけるアークにローレンツ力を及ぼして、該アークの軌跡を安定させる磁石と、を具備する内視鏡用光源装置において、
上記磁石に、上記ヒートシンクの扁平な取付面に接触する扁平面と、この扁平面に一端部が開口する、固定ねじ用の複数の貫通孔とを形成し、この磁石の上記扁平面を上記ヒートシンクの上記取付面に接触させた状態で、上記貫通孔に複数の固定ねじを挿通して、該磁石を該ヒートシンクに直接固定したことを特徴とする内視鏡用光源装置における磁石の取付構造。
【請求項２】
請求項１記載の内視鏡用光源装置における磁石の取付構造において、
上記磁石が、射出成形によって成形されたプラスチック磁石である内視鏡用光源装置における磁石の取付構造。
【請求項３】
請求項２記載の内視鏡用光源装置における磁石の取付構造において、
上記プラスチック磁石の複数の貫通孔は、該プラスチック磁石の射出成形時に同時に成形される内視鏡用光源装置における磁石の取付構造。
【発明の詳細な説明】
【技術分野】
【０００１】
本発明は、内視鏡に光を供給するための内視鏡用光源装置における磁石の取付構造に関する。
【背景技術】
【０００２】
内視鏡は、その内部を貫通する導光ファイバ（ファイババンドル）を介して光源装置に接続されている。導光ファイバの入射端面は、光源装置内に配設された光源と対向しており、導光ファイバの出射端面は、内視鏡の挿入部先端に設けられた照明用光学系へと接続されている。光源から射出された光は、導光ファイバを通って照明用光学系に導かれ、この照明用光学系から内視鏡の外部に向けて射出されて、体腔内や機械の内部を照らす（例えば、特許文献１）。
【０００３】
光源の一種として、陰極と陽極の間にアークを発生させる放電ランプがある。この放電ランプは高熱になりやすいので、光源として放電ランプを用いる場合は通常、放電ランプに、放電ランプの熱を外部に効率よく排熱するためのヒートシンクを接触させる。
【０００４】
さらに、このように放電ランプを使用する場合は、陰極と陽極の間におけるアークの軌跡が安定しないと、発生する光に明るい部分と暗い部分が出来てしまい、その結果、体腔内や機械の内部を均一に照らせなくなってしまう。このため、光源装置に放電ランプを用いる場合は、放電ランプのアークにローレンツ力を及ぼしてアークの軌跡を安定させる磁石を用いている。
この磁石は従来、特定の方向に磁化させたフェライト磁石を用い、支持部材（ステー）を介してヒートシンクに固定していた。このようにステーを用いてフェライト磁石をヒートシンクに固定することは、フェライトの磁化方向を所定の方向に向けるために必須と考えられていた。
【特許文献１】特開平１１−３０５１４８号公報
【発明の開示】
【発明が解決しようとする課題】
【０００５】
本発明者は、放電ランプのアークにローレンツ力を及ぼすための磁石を固定するためには、ヒートシンクとは別部材のステーを用いることが必須であるとの技術常識を見直し、磁石自体に固定ねじ用の貫通孔を形成することは技術的に可能であり、貫通孔を形成すればステーは不要になるとの着眼に基づいて本発明に至ったものである。
【０００６】
本発明の目的は、部品点数が少なく、構造が簡単でコスト的に有利な内視鏡用光源装置における磁石の取付構造を提供することにある。
【課題を解決するための手段】
【０００７】
本発明の内視鏡用光源装置における磁石の取付構造は、内視鏡内に配設された導光ファイバを介して、該内視鏡の挿入部先端に光を供給する放電ランプと、該放電ランプに接触して、該放電ランプの熱を外部に排熱するヒートシンクと、該放電ランプの陰極と陽極の間におけるアークにローレンツ力を及ぼして、該アークの軌跡を安定させる磁石と、を具備する内視鏡用光源装置において、上記磁石に、上記ヒートシンクの扁平な取付面に接触する扁平面と、この扁平面に一端部が開口する、固定ねじ用の複数の貫通孔とを形成し、この磁石の上記扁平面を上記ヒートシンクの上記取付面に接触させた状態で、上記貫通孔に複数の固定ねじを挿通して、該磁石を該ヒートシンクに直接固定したことを特徴としている。
【０００８】
上記磁石を、射出成形によって成形されたプラスチック磁石とすれば、コストを低減できるので有利である。
【０００９】
プラスチック磁石であれば、その射出成形時に貫通孔を同時に形成することができる。
【発明の効果】
【００１０】
本発明によると、磁石に形成した貫通孔に固定ねじを挿入し、この固定ねじによって磁石をヒートシンクに固定しているので、従来必須と考えられていた支持部材（ステー）は不要になる。従って、従来に比べて、部品点数が少なく、構造が簡単であり、コスト的に有利になる。さらに、磁石の扁平面をヒートシンクの扁平な取付面に接触させた状態で、複数の固定ねじにより磁石をヒートシンクに固定しているので、固定後に磁石が回転することはない。従って、放電ランプのアークに常に所定のローレンツ力を及ぼすことができる。
【発明を実施するための最良の形態】
【００１１】
以下、本発明の一実施形態について、添付図面を参照しながら説明する。
図１に示す電子内視鏡（内視鏡）１０は、操作部１１と挿入部１２を有し、挿入部１２の先端部には、操作部１１に設けた湾曲操作装置１３の操作に応じて上下及び左右方向に湾曲される湾曲部１２ａが設けられている。湾曲部１２ａの先端面には、図示しない観察窓（対物窓）と照明光学系が設けられている。
【００１２】
操作部１１からはユニバーサルチューブ１４が延びており、このユニバーサルチューブ１４の先端に設けられたコネクタ部１４ａにはライトキャリングバンドルスリーブ１４ｂが突設されている。さらに、ライトキャリングバンドルスリーブ１４ｂ、コネクタ部１４ａ、ユニバーサルチューブ１４、操作部１１及び挿入部１２の内部には、導光ファイバ１５が配設されており、その先端に形成された出射端面が、挿入部１１の先端内部において上記照明光学系に接続されている。
【００１３】
プロセッサ（内視鏡用光源装置）２０は図１及び図２に示すように、そのケーシング２１の前面２１ａ（図１及び図２の右側を前方、左側を後方とする）に、コネクタ部１４ａのライトキャリングバンドルスリーブ１４ｂを差し込むための差込口２２が設けられており、ケーシング２１の底板２１ｂの上面には、差込口２２の直後に位置する起立部材２３が設けられており、起立部材２３の差込口２２と対向する位置には支持用孔２３ａが穿設されている。
【００１４】
さらに、ケーシング２１の底板２１ｂの上面には、中空の収容部２６を具備するハウジング２５が固定されており、収容部２６には前後一対のヒートシンク２７、２８が前後方向に間隔を開けて不動状態で配設されている。
図３から図５に拡大して示すヒートシンク２７、２８は、金属等の熱伝導性が良好な材料から成形されたものであり、前側のヒートシンク２７の前部には、ほぼ水平な板状の放熱用フィン２７ａが上下に並べて形成されており、後側のヒートシンク２８の後部には、ほぼ水平な板状の放熱用フィン２８ａが上下に並べて形成されている。
【００１５】
前側のヒートシンク２７の後面と後側のヒートシンク２８の前面には、嵌合用凹部２７ｂ、２８ｂがそれぞれ凹設されており、両嵌合用凹部２７ｂ、２８ｂにはランプＭＬの略円筒状の金属ケースＣの前端部と後部端がそれぞれ嵌合固定されている。このランプＭＬはキセノンランプ等の放電ランプであり、ハウジング２５の前壁２５ａに穿設された採光孔２５ｂ（図２参照）を通して、支持用孔２３ａ及び差込口２２と前後方向に対向している（支持用孔２３ａ及び差込口２２と同心をなしている）。ランプＭＬはケーシング２１の外面に設けられたスイッチ（図示略）のＯＮ操作により点灯し、ＯＦＦ操作により消灯するものであり、挿入部１２を体腔内や機械内へ挿入する場合は常時点灯させるものである。
【００１６】
さらに、前側のヒートシンク２７の後面は扁平な取付面２７ｃとなっており、取付面２７ｃの上部には、２つのねじ孔２７ｄ（図３及び図５参照）が穿設されている。射出成形によって成形されたプラスチック磁石（磁石）ＭＧは、角柱状部ＭＧ３と円柱状部ＭＧ４とを一体的に具備しており、角柱状部ＭＧ３は、射出成形時に形成された２個の貫通孔ＭＧ２（図３〜図５参照）を有している。このプラスチック磁石ＭＧの前面をなす扁平面ＭＧ１は、取付面２７ｃのねじ孔２７ｄが形成された箇所に当接しており、両貫通孔ＭＧ２には２本の固定ねじＢのねじ部Ｂ１がそれぞれ挿入され、各ねじ部Ｂ１は各ねじ孔２７ｄにそれぞれ螺合されており、貫通孔ＭＧ２より大径の頭部Ｂ２とヒートシンク２７の取付面２７ｃの間でプラスチック磁石ＭＧが挟持されている。
このプラスチック磁石ＭＧは、ランプＭＬの陰極と陽極の間に形成されるアークにローレンツ力を及ぼして、アークの軌跡を安定させる働きをする。プラスチック磁石ＭＧからランプＭＬまでの距離、及びプラスチック磁石ＭＧに要求される磁力の強さは、ランプＭＬの特性を考慮して決定される。
【００１７】
さらに、図２に示すように、ケーシング２１の底板２１ｂの上面には、起立部材２３とハウジングＨの間に位置させてレンズホルダ３０が固定されている。レンズホルダ３０にはレンズ支持用孔３０ａが貫通孔として形成されており、レンズ支持用孔３０ａに２枚の集光レンズＬ１、Ｌ２が前後に並べて嵌合固定されている。両集光レンズＬ１、Ｌ２の光軸は、ランプＭＬ、光源接続用孔２２及び支持用孔２３ａの各中心を結ぶ直線上に位置している。
【００１８】
次に、このような構成からなる内視鏡システムの動作について説明する。
上記スイッチがＯＦＦの状態で、プロセッサ２０の差込口２２と支持用孔２３ａにライトキャリングバンドルスリーブ１４ｂを差し込むと、その内部に配設された導光ファイバ１５の入射端面１５ａが、採光孔２５ｂを通してランプＭＬと前後方向に対向する。この状態で上記スイッチをＯＮにするとランプＭＬが点灯し、ランプＭＬから発せられた光束Ｏは採光孔２５ｂ、集光レンズＬ１、Ｌ２を通って、導光ファイバ１５の入射端面１５ａに導かれ、さらに導光ファイバ１５を通って照明光学系に送られる。照明光学系によって照らされた被写体を挿入部１２先端の観察窓を介して観察すると、この被写体の画像がプロセッサ２０に接続されたテレビモニタ（図示略）に映し出される。
【００１９】
プラスチック磁石ＭＧは常にランプＭＬのアークに所定のローレンツ力を及ぼすので、点灯中のランプＭＬのアーク奇跡は安定状態を保ち、ランプＭＬからは均一な光が射出される。また、点灯中のランプＭＬは多量の熱を出すが、ヒートシンク２７、２８はランプＭＬのケースＣより熱伝導性の高い材料で成形されているため、この熱はケースＣからヒートシンク２７、２８に伝わり易く、ヒートシンク２７、２８に伝わった熱は主に放熱用フィン２７ａ、２８ａから外部に効率よく放熱される。
挿入部１２を体腔内や機械内から完全に引き抜いた後に、プロセッサ２０の上記スイッチをＯＦＦにすると、ランプＭＬが消灯する。
【００２０】
このように本実施形態によれば、ランプＭＬのアークの軌跡を安定させるためのプラスチック磁石ＭＧを、その貫通孔ＭＧ２に固定ねじＢを挿入して、この固定ねじＢによりヒートシンク２７に直接固定しているので、従来は必須部品と考えられていたヒートシンク２７とは別体の支持部材（ステー）が不要になる。従って、従来の光源装置に比べて部品点数が少なく、構造が簡単であり、コスト的に有利である。
【００２１】
さらに、磁石として安価なプラスチック磁石ＭＧを採用しているので、この点でもコストの低減が図られている。
また、プラスチック磁石ＭＧには、その射出成形時に貫通孔ＭＧ２を同時に形成できるというメリットがある。
さらに、プラスチック磁石ＭＧを２個の固定ねじＢでヒートシンク２７に固定しているので、固定後にプラスチック磁石ＭＧが回転することはなく、プラスチック磁石ＭＧはランプＭＬのアークに常に所定のローレンツ力を及ぼすことができる。従って、ランプＭＬのアークは常に安定状態に保たれる。なお、３個以上の固定ねじＢでプラスチック磁石ＭＧをヒートシンク２７に固定してもよい。
【００２２】
本実施形態では磁石としてプラスチック磁石を採用したが、コストを無視するならば、その他の磁石（例えばフェライト磁石）を採用できることは勿論である。さらに、ランプＭＬとしてキセノンランプを用いたが、放電ランプであれば他のものであってもよい。
【図面の簡単な説明】
【００２３】
【図１】本発明の一実施形態の全体構造を示す外観図である。
【図２】プロセッサの一部を破断して示す側面図である。
【図３】ランプとヒートシンクの拡大平面図である。
【図４】ランプとヒートシンクの一部を破断した拡大背面図である。
【図５】ランプとヒートシンクの拡大側面図である。
【符号の説明】
【００２４】
１０    電子内視鏡（内視鏡）
１１    操作部
１２    挿入部
１２ａ  湾曲部
１３    湾曲操作装置
１４    ユニバーサルチューブ
１４ａ  コネクタ部
１４ｂ  ライトキャリングバンドルスリーブ
１５    導光ファイバ
１５ａ  入射端面
２０    プロセッサ（内視鏡用光源装置）
２１    ケーシング
２２    差込口
２３    起立部材
２３ａ  支持用孔
２５    ハウジング
２５ａ  前壁
２５ｂ  採光孔
２６    収容部
２７    ヒートシンク
２７ａ  放熱用フィン
２７ｂ  嵌合用凹部
２７ｃ  取付面
２７ｄ  ねじ孔
２８    ヒートシンク
２８ａ  放熱用フィン
２８ｂ  嵌合用凹部
３０    レンズホルダ
３０ａ  レンズ支持用孔
Ｂ      固定ねじ
Ｂ１    ねじ部
Ｂ２    頭部
Ｃ      ケース
Ｌ１  Ｌ２    集光レンズ
ＭＧ    プラスチック磁石（磁石）
ＭＧ１  扁平面
ＭＧ２  貫通孔
ＭＬ    ランプ（放電ランプ）
【図１】
2005245582.tif 000003
【図２】
2005245582.tif 000004
【図３】
2005245582.tif 000005
【図４】
2005245582.tif 000006
【図５】
2005245582.tif 000007